(57)【特許請求の範囲】
【請求項１】
深い環状凹部(1) が内周に形成される剛性有る鍔本体(2) と、
その環状凹部(1) に半径方向の外側部分が内装され、軸線上に竹刀(3) の柄部(3a)の直径より小なる竹刀挿通孔(4) を有する偏平で円板状のゴム板(5) と、を具備し、
その鍔本体(2) の内径は、前記ゴム板(5) の前記竹刀挿通孔(4) の径に比べて大に形成され、そのゴム板(5) と前記環状凹部(1) とは少なくともその平面どうしが接合されることなく、外力に対してゴム板(5) の各部は半径方向への変移が許容され、ゴム板(5) の中心部の厚みが鍔本体(2) の全体の厚みより薄く形成され、
鍔本体(2) を竹刀(3) の柄部(3a)に挿脱する際、その移動方向の後方側に前記ゴム板(5) の中心部が筒状に変形するように構成された竹刀の鍔。
【請求項２】
請求項１において、
前記鍔本体(2) は、中心に孔を有する皿状に形成された第一部材(2a)と、
外周がその第一部材(2a)の内周に整合し、皿状に形成されて中心に孔を有する第二部材(2b)とからなり、
両部材(2a)(2b)が互いに嵌着されると共に、両部材(2a)(2b)間に前記ゴム板(5) が介装されて、両者が接合固定される竹刀の鍔。
【発明の詳細な説明】
【０００１】
【発明の属する技術分野】
本発明は竹刀の柄に挿脱される鍔であって、鍔止めを不要とするものに関する。
【０００２】
【従来の技術】
剣道に用いられる竹刀の鍔は、プラスチック材等からなる剛性の高い鍔と、ゴム製の鍔止めとをセットで用いることが多い。この竹刀の柄には筒状の革が巻かれ、先端側が次第に大径となるテーパに形成され、そこに先ず鍔が柄の後端から先端に挿入され、次いでゴム製の鍔止めが装着される。この鍔止めの内周は柄の端部外周よりも小に形成され、その弾力性によって容易に移動しないように柄の外周に圧接されている。
このような鍔及び鍔止めは、稽古後に竹刀から分離し、竹刀袋に別個に収納される。その際、鍔と鍔止めは分離し且つ、鍔止めは鍔よりも直径が小さいため、紛失し易いものである。
【０００３】
そこで、従来からこの鍔止めと鍔とを一体にした提案が各種されている。
例えば、特公平０５−２８１５４号の「竹刀の鍔」は、鍔本体の内周面に軟質弾性体の鍔止めを一体にインサート成形したものである。そしてこの鍔止めの厚みは、鍔本体の厚みよりも厚くその軸線方向に形成され、鍔止めの内周面と竹刀の柄の接触面とを広くし、鍔を柄に取り付ける際の安定性を確保している。
【０００４】
【発明が解決しようとする課題】
鍔と鍔止めとを一体に形成した従来のものは、剛性ある鍔本体の内周面に、一体に鍔止め部が形成されたものであるため、次の欠点があった。
先ず、鍔止めの変形量が極めて僅かであるため、その鍔の内直径を竹刀の柄の装着部に厳密に整合させる必要があった。ところが竹刀は、四本の長尺竹片を合わせて作るものであり、厳密に柄の直径を特定することが難しいものである。
また、柄の太さは使用する人の体格や手の大きさその他によって多数のものが用意され、夫々の好みによって選択されるものである。そのため、それらに厳密に整合する鍔止め付き鍔を用意することは極めて煩わしい問題があった。
【０００５】
さらに、鍔止め部の弾性変形が極めて僅かであるため、鍔をしっかりと竹刀の柄に装着する場合及びそれを取り外す場合に大きな力が必要となり、非力な子供ではその挿脱が難しいという問題があった。
そこで本発明は鍔と鍔止めが一体になったものにおいて、各種竹刀の柄の直径に対応できると共に、非力な子供でも簡単に装着できるものを提供することを課題とする。
【０００６】
【課題を解決するための手段】
請求項１に記載の本発明は、深い環状凹部(1) が内周に形成される剛性有る鍔本体(2) と、
その環状凹部(1) に半径方向の外側部分が内装され、軸線上に竹刀(3) の柄部(3a)の直径より小なる竹刀挿通孔(4) を有する偏平で円板状のゴム板(5) と、を具備し、
その鍔本体(2) の内径は、前記ゴム板(5) の竹刀挿通孔(4) の径に比べて大に形成され、そのゴム板(5) と前記環状凹部(1) とは少なくともその平面どうしが接合されることなく、外力に対してゴム板(5) の各部は半径方向への変移が許容され、ゴム板(5) の中心部の厚みが鍔本体(2) の全体の厚みより薄く形成され、
鍔本体(2) を竹刀(3) の柄部(3a)に挿脱する際、その移動方向の後方側に前記ゴム板(5) の中心部が筒状に変形するように構成された竹刀の鍔である。
【０００７】
請求項２に記載の本発明は、請求項１において、
前記鍔本体(2) は、中心に孔を有する皿状に形成された第一部材(2a)と、
外周がその第一部材(2a)の内周に整合し、皿状に形成されて中心に孔を有する第二部材(2b)とからなり、
両部材(2a)(2b)が互いに嵌着されると共に、両部材(2a)(2b)間に前記ゴム板(5) が介装されて、両者が接合固定される竹刀の鍔である。
【０００８】
【発明の実施の形態】
次に、本発明の実施の形態を図面に基づき説明する。
図１は本発明の鍔の平面図であり、図２は図１のII−II矢視断面拡大図である。また、図３は本発明の鍔の装着状態及び離脱時の状態を夫々示す説明図である。
本発明の鍔は、図１及び図２に示す如く、鍔本体２とゴム板５とを有する。鍔本体２は図２に示す如く、夫々中心に孔を有する皿状の第一部材２ａと第二部材２ｂとからなり、第一部材２ａの内周に第二部材２ｂの外周が整合する。これら第一部材２ａ，第二部材２ｂは、プラスチックの成形体で形成することができる。そしてこの例では、第二部材２ｂの皿状部にゴム板５を嵌着した状態で、第二部材２ｂの外周面及びその外周に隣接する縁部に接着剤を付着し、第二部材２ｂを第一部材２ａに嵌着することにより、鍔を構成することができる。
【０００９】
ゴム板５は偏平で円板状に形成され、一例として厚みが３ｍｍ程度のものを用いることができる。この例では、ゴム板５の半径方向外周部が第一部材２ａと第二部材２ｂで構成された深い環状凹部１に内装されている。そのゴム板５の内装部分は、内周部の露出部分よりもやや多めである。
また、ゴム板５の平面部と皿状凹部１ａ及び皿状凹部１ｂの内面とは非接着状態にある。ゴム板５の竹刀挿通孔４は、竹刀３の柄部３ａよりも充分小に形成されている。
【００１０】
なお、ゴム板５、鍔本体２の各種寸法は必要に応じ適宜設計変更できることは言うまでもない。一例として、ゴム板５の外周直径は６０mm程度、その竹刀挿通孔４の内直径は１８mm程度とすることができる。
また、鍔本体２の外周直径は一例として８５mm程度とし、その内周直径は３５mm程度とすることができる。
さらに鍔本体２の厚みは８mm程であり、環状凹部１の溝幅は３mm程度、その深さは１２mm程度とすることができる。
【００１１】
このようにしてなる本発明の鍔は、図３に示す如く、テーパに形成されている柄部３ａの後端から挿入される。その挿入の際には、その挿入方向後方側にゴム板５の中心部が変形し、同図実線の如く、ゴム板５の中心部は筒状部５ａとなる。このとき図２において、ゴム板５と環状凹部１の嵌着部は接着剤等により接着されていないので、ゴム板５と環状凹部１の嵌着内部においても半径方向への変移がおこる。そのため図３の如く容易に変形し且つ、この変形状態でゴム板５は柄部３ａに正確に保持され、鍔本体２の平面は柄部３ａの軸線に直交する。
【００１２】
実験によれば、ゴム板５の平面と皿状凹部１ａの内面及び皿状凹部１ｂの内面との間を接着剤で接着した場合、鍔を竹刀３の柄部３ａに装着するとき、その装着抵抗が極めて大きくなる。また、装着後に鍔を取り外すのが極めて困難であった。特に、非力な子供には無理であることが判った。
ところが本発明では、ゴム板５の平面と鍔本体２の環状凹部１の内面の平面とは非結合状態にあるため、両者の嵌着部内においても半径方向の変移が可能であり、その装着及び脱着が容易であることが判った。即ち、比較的非力な子供でも容易にその挿脱が可能となる。
鍔本体２を柄部３ａから取り外す場合には、ゴム板５の筒状部５ａは鎖線の如く実線状態とは逆向きに変形する。このような変形は、ゴム板５の板厚を鍔本体２のそれより薄くすることにより容易に行うことができる。仮に、ゴム板５の板厚を鍔本体２の板厚程度にすると、その変形は困難となる。
【００１３】
【発明の作用・効果】
本発明の竹刀の鍔は、鍔本体２の環状凹部１に円板状のゴム板５の半径方向外側部分が内装され且つ、ゴム板５と環状凹部１とは少なくともその平面どうしが接着剤等により接合されることなく、ゴム板５に加わる外力に対して、ゴム板５の各部は半径方向への変移が許容されるように構成されている。さらに、鍔本体２を竹刀３の柄部３ａに挿脱する際、ゴム板５はその中心部が移動方向の後方側に筒状に変形するように構成されたものである。
【００１４】
上記のように構成することにより、鍔を竹刀３の柄部３ａに装着したとき、その装着状態を確実に保持できると共に、比較的非力な子供でも本発明の鍔を挿脱することが容易である。これは、その挿脱時にゴム板５に加わる外力に対して、そのゴム板５の各部、特に環状凹部１内に挿入された部分においても半径方向への変移が可能であることに基づく。
さらに上記のように構成されているため、各種竹刀の柄の太さが変わっても、本鍔を取付けることが可能となる。即ち、本鍔は各種竹刀の太さに対応できるものとなる。
【図面の簡単な説明】
【図１】本発明の鍔の平面図。
【図２】図１のII−II矢視断面拡大図。
【図３】本発明の鍔を竹刀３の柄部３ａに挿脱する状態を示す説明図。
【符号の説明】
１  環状凹部
１ａ  皿状凹部
１ｂ  皿状凹部
２  鍔本体
２ａ  第一部材
２ｂ  第二部材
３  竹刀
３ａ  柄部
４  竹刀挿通孔
５  ゴム板
５ａ  筒状部
６  接着剤
【図１】
0003697693.tif 000002
【図２】
0003697693.tif 000003
【図３】
0003697693.tif 000004